(57)【特許請求の範囲】
【請求項１】
フィルタ特にエアフィルタであって、新鮮空気取り入れ口と清浄空気出口とを備えたケーシングと、このケーシング内に配置された、特にジグザグ状に折り畳まれたフィルタ媒体から成るフィルタエレメントとから成っており、少なくとも１つの支持部材が設けられていて、該支持部材がフィルタ媒体を清浄空気側の領域内で支持している形式のものにおいて、
支持部材が、ケーシングに配置された刀剣状支持部（１９，２０，２３，２５）より成っており、刀剣状支持部（１９，２０，２３，２５）が支持シュー（３０，３１，３２，３３，３４，３５，３６，３７）を有していることを特徴とする、フィルタ、特に内燃機関の吸込み空気のためのエアフィルタ。
【発明の詳細な説明】
本発明は、フィルタ特に内燃機関の吸込み空気のためのエアフィルタに関する。
ドイツ連邦共和国特許第３５１４７７８号明細書によれば、フィルタエレメントが、星形に折り畳まれたフィルタエレメントより成っているフィルタ挿入体が公知である。フィルタエレメントの端部円板には、複数の支持管が配置されている。これらの支持管は、特にプラスチックから成っていて、補強リングを備えている。このようなフィルタ挿入体の欠点は、フィルタエレメントの交換が、支持リングと一緒にしか行うことができないという点にある。
フィルタエレメントを、孔付きの金属薄板支持管上に配置することも公知である。しかしながらこの金属薄板支持管は、フィルタケーシング内の付加的な部材として必要であって、ひいては、製作費用及び製造コストが高くなるということを意味する。
本発明の課題は、安価に製造可能で、廃棄コストが少なく、圧力に対して強い構造のフィルタを提供することである。
この課題は、請求項１の上位概念から出発して、請求項１の特徴部に記載された特徴によって解決された。
本発明の主要な利点は、刀剣状支持部(Schwertabstuetzung)がケーシングの一部を成しているので、付加的な支持部材、支持管又はこれと類似のものを必要としないという点にある。これによって、このような付加的な部分を廃棄する必要もない。
本発明の有利な実施例では、刀剣状支持部は、フィルタ媒体の最大曲がり位置まで、つまりフィルタ媒体の中央位置まで接近して延びている。この場合、この領域の支持も、また刀剣状支持部が延びる外側領域の支持も得られる。
本発明の実施例によれば、ケーシングを閉鎖するカバーに、フィルタ媒体のための別の刀剣状支持部又は固定部材が配置されている。これによって、カバーは、一方ではフィルタ媒体の位置決めを補助するために、また他方では形状安定性を得るために役立つ。
本発明の別の実施例によれば、刀剣状支持部に支持シューを設けることが提案されている。この支持シューによって、フィルタ媒体のより大きい領域を支持することができる。それと同時に、支持シューは、支持領域内における点状の負荷ピークを避ける。
本発明の別の有利な実施例によれば、フィルタ媒体はいわゆる接着ビード(Laumraupen)を備えている。これらの接着ビードは、フィルタ媒体の内部の形状安定性を改良する。しかも、これらの接着ビードは、刀剣状支持部のための載設点若しくは載設面として役立つ。
有利な形式によれば、フィルタは付加的なシールエレメント無しでケーシングに固定することができる。このために、熱可塑性のプラスチックより成るカバーに、又は同様に熱可塑性のプラスチックより成るケーシングにシールリップが一体成形されている。このシールリップは、付加的にラビリンスシールとして構成することができる。
本発明の以上述べた特徴及びさらに別の特徴は、請求項にだけでなく、詳細な説明及び図面にも記載されている。この場合、個々の特徴は、それぞれ単独でも、また本発明の実施例において複数で組み合わされた形式でも、別の分野においても実現可能であって、本明細書によって保護される保護能力のある有利な構成を示すことができる。
本発明の実施例が図面に示されていて、以下に詳しく説明されている。
第１図は、フィルタの２つの半部を示し、
第２図は、側面図の一部を示し、
第３図は、閉鎖部材の変化実施例を示す。
図１に示したフィルタは、フィルタケーシング１０より成っており、このフィルタケーシング１０は、新鮮空気取り入れ口１１と、清浄空気出口１２とカバー１３とを有している。ケーシングとカバーとは、有利には射出成形法で熱可塑性プラスチックより製造されている。ケーシング内にはフィルタエレメント１４が配置されており、このフィルタエレメント１４は、星形に折り畳まれたフィルタペーパー（フィルタ媒体）より製造されている。このフィルタエレメントは、端面でシール円板１５，１６を有している。これらのシール円板１５，１６は、例えばポリウレタン軟質フォームより成っている。シール円板は、一方では端面側をシールするために使用され、他方ではケーシング若しくはカバーの半径方向のシール面１７，１８でフィルタエレメント１４をシールするために使用される。上側の半部には、ケーシング１０にもまたカバー１３にも、それぞれ１つの刀剣状支持部１９，２０が設けられている。これらの刀剣状支持部１９，２０はそれぞれ、フィルタエレメント１４の全長の約１／３まで、フィルタエレメント１４の中空室内に延びている。フィルタエレメント１４は、いわゆる接着ビード２１，２２を備えている。これらの接着ビード２１，２２に、各刀剣状支持部が当接している。下側の半部内では、フィルタケーシングが刀剣状支持部２３を備えている。この刀剣状支持部２３は、フィルタエレメント１４の軸方向中央まで延びている。ここでも、フィルタエレメントは、接着ビード２４を有しており、この接着ビード２４には刀剣状支持部２４が当接している。カバー１３は、単にフィルタエレメント２５だけを備えている。このフィルタエレメント２５は、カバー１３を閉じた時にフィルタエレメント１４を位置決めする、という課題を有している。カバー１３は、下側の領域内で開口２６を備えている。この開口２６は、遮蔽弁(Schirmventil)２７によって閉鎖されていて、粗い汚れを排出するために使用される。カバー１３とフィルタケーシング１０との間をシールするために、接触面においてカバーはリップシール２８を備えている。このリップシール２８は、突起部でケーシングのシール面２９に当接していて、エアフィルタの導管領域を確実にシールするために使用される。
第２図は、刀剣状支持部２３ａ〜２３ｇの側面図の一部を示している。この刀剣状支持部は、支持シュー３０〜３７を備えており、この場合、支持シュー３０〜３７は、右側に示されているように、ジグザグ状に折り畳まれたフィルタ媒体３８に直接当接することができ、またフィルタ媒体３８に取り付けられた接着ビード２４にも当接することができる。
第３図には、閉鎖部材の変化実施例が示されている。この閉鎖部材は、カバー１３をケーシング１０に固定するために使用される。ここでもカバー１３は、リップシール２８を備えており、このリップシール２８は、フィルタケーシングのシール面２９上に載っている。カバーをフィルタケーシング上に半径方向で固定することは、ケーシング１０に設けられた環状溝３９によって行われる。この環状溝内には、カバーの段部４０が延びている。この段部４０は、環状溝の底部上に当接していて、これによってカバー１３の軸方向の終端ストッパを規定する。これによってリップシールの過剰伸張は避けれらる。閉鎖部材としては、例えばＵ字形ワイヤ閉鎖部材４１が選択される。勿論、スナップ式閉鎖部材、係止式閉鎖部材又はこれと類似のもの等の別の変化例も可能である。
【図１】
0003720056.tif 000002
【図２】
0003720056.tif 000003
【図３】
0003720056.tif 000004